(57)【要約】【課題】入眠又は起床に適した音環境を容易に且つ効果的に構築可能な入眠起床用音環境生成装置を提供する。【解決手段】入眠起床用音環境生成装置は、一対のスピーカ２２，２２と、これらのスピーカ２２，２２への音声信号を生成する音声処理装置１とを有する。音声処理装置１は、複数の音源データの中から再生する音源データを選択する音源選択部１３と、利用者Ｐの身体情報を検出する身体情報検出部１４と、音源、再生時間及び音量を少なくとも含む音源パラメータに従って音源データを再生したときの身体情報検出部１４の検出結果に基づいて、再生した音源データによる眠り易さ又は起床のし易さを評価し、評価結果を記憶部１２ａに記憶する学習処理部１２とを備え、音源選択部１３は、再生する音源データを選択する際に、記憶部１２ａに記憶した評価結果に基づいて相対的に評価の高い音源データを選択する。【選択図】図１
2011130099.tif 000002
【特許請求の範囲】
【請求項１】
電気音響変換装置と、該電気音響変換装置への音声信号を生成する音声処理装置とを有し、
前記音声処理装置は、複数の音源データの中から再生する音源データを選択する音源選択部と、利用者の身体情報を検出する身体情報検出部と、音源、再生時間及び音量を少なくとも含む音源パラメータに従って音源データを再生したときの前記身体情報検出部の検出結果に基づいて、再生した音源データによる眠り易さ又は起床のし易さの何れか一方を評価し、評価結果を記憶部に記憶する学習処理部とを備え、前記音源選択部は、再生する音源データを選択する際に、前記記憶部に記憶した評価結果に基づいて相対的に評価の高い音源データを選択することを特徴とする入眠起床用音環境生成装置。
【請求項２】
前記電気音響変換装置は、利用者に対して所定の位置に固定された２チャンネルのスピーカであって、
前記音声処理装置は、利用者に音像を三次元的に認識させるように音源データに対する頭部伝達関数を制御して前記スピーカから出力する音の音像を制御する音像定位処理部を備え、
前記音源パラメータには音源の位置が含まれており、前記音源選択部は、再生する音源データの前記音源パラメータに含まれる音源の位置に従って、前記音像定位処理部により該音源データの音像を制御することを特徴とする請求項１記載の入眠起床用音環境生成装置。
【請求項３】
前記音源選択部は、前記学習処理部による評価が相対的に低い音源データを選択しないか、又は該音源データの優先度を現状よりも低く設定することを特徴とする請求項１又は２記載の入眠起床用音環境生成装置。
【請求項４】
前記学習処理部は、相対的に評価の高い音源データの前記音源パラメータを前記記憶部に記憶することを特徴とする請求項１又は２記載の入眠起床用音環境生成装置。
【請求項５】
前記身体情報検出部は、音源データの再生開始時に前記身体情報を検出し、前記学習処理部は、再生した音源データを、検出した前記身体情報に基づいて、予め設定した複数の身体状態の何れかに分類するとともに、分類した身体状態を前記評価結果とともに前記記憶部に記憶し、前記音源選択部は、音源データの再生開始時に検出した前記身体情報に基づいて分類した身体状態と一致する身体状態が前記記憶部に記憶された音源データの中から、再生する音源データを選択することを特徴とする請求項１〜４の何れか１項に記載の入眠起床用音環境生成装置。
【請求項６】
前記学習処理部は、前記音源選択部が有する複数の音源データの再生順による眠り易さ又は起床のし易さの何れか一方を評価するとともに、評価結果を前記記憶部に記憶し、前記音源選択部は、前記記憶部に記憶した評価結果に基づいて相対的に評価の高い再生順を選択し、選択した再生順に従って音源データを再生することを特徴とする請求項１〜５の何れか１項に記載の入眠起床用音環境生成装置。
【発明の詳細な説明】
【技術分野】
【０００１】
本発明は、快適な入眠を誘導したり、目覚めのよい起床を可能にする環境音を生成する入眠起床用音環境生成装置に関するものである。
【背景技術】
【０００２】
従来より、利用者をリラックスさせて入眠に導き、目覚めのよい起床を可能にする睡眠起床サポートシステムが提供されている（例えば特許文献１参照）。この睡眠起床サポートシステムでは、例えばＣＤプレーヤーによってリラクゼーション用の音楽や自然音を再生することで利用者を快適な入眠へと導くことができ、また起床覚醒用の音楽や自然音を再生することで利用者を目覚めのよい起床へと導くことができる。
【先行技術文献】
【特許文献】
【０００３】
【特許文献１】特開２００５−３３４２８３号公報（段落［００２６］、及び、第１図、第２図）
【発明の概要】
【発明が解決しようとする課題】
【０００４】
しかしながら、上述の特許文献１に示した睡眠起床サポートシステムでは、利用者の好みに応じた音環境（入眠又は起床に適した音環境）を構築できるものの、利用者がそのとき設定した再生パターン（例えば再生した曲名や再生時間、再生順など）をシステムに記憶させていないため、利用者は利用毎に同様の設定作業をしなければならず、使い勝手の更なる向上が期待されていた。しかも、本システムには利用者の身体情報を検出する手段が設けられていないため、構築した音環境が入眠又は起床に対して効果的でない場合もあった。
【０００５】
本発明は上記問題点に鑑みて為されたものであり、その目的とするところは、入眠又は起床に適した音環境を容易に且つ効果的に構築可能な入眠起床用音環境生成装置を提供することにある。
【課題を解決するための手段】
【０００６】
請求項１の発明は、電気音響変換装置と、該電気音響変換装置への音声信号を生成する音声処理装置とを有し、音声処理装置は、複数の音源データの中から再生する音源データを選択する音源選択部と、利用者の身体情報を検出する身体情報検出部と、音源、再生時間及び音量を少なくとも含む音源パラメータに従って音源データを再生したときの身体情報検出部の検出結果に基づいて、再生した音源データによる眠り易さ又は起床のし易さの何れか一方を評価し、評価結果を記憶部に記憶する学習処理部とを備え、音源選択部は、再生する音源データを選択する際に、記憶部に記憶した評価結果に基づいて相対的に評価の高い音源データを選択することを特徴とする。
【０００７】
請求項２の発明は、請求項１の発明において、電気音響変換装置は、利用者に対して所定の位置に固定された２チャンネルのスピーカであって、音声処理装置は、利用者に音像を三次元的に認識させるように音源データに対する頭部伝達関数を制御してスピーカから出力する音の音像を制御する音像定位処理部を備え、音源パラメータには音源の位置が含まれており、音源選択部は、再生する音源データの音源パラメータに含まれる音源の位置に従って、音像定位処理部により該音源データの音像を制御することを特徴とする。
【０００８】
請求項３の発明は、請求項１又は２の発明において、音源選択部は、学習処理部による評価が相対的に低い音源データを選択しないか、又は該音源データの優先度を現状よりも低く設定することを特徴とする。
【０００９】
請求項４の発明は、請求項１又は２の発明において、学習処理部は、相対的に評価の高い音源データの音源パラメータを記憶部に記憶することを特徴とする。
【００１０】
請求項５の発明は、請求項１〜４の何れかの発明において、身体情報検出部は、音源データの再生開始時に身体情報を検出し、学習処理部は、再生した音源データを、検出した身体情報に基づいて、予め設定した複数の身体状態の何れかに分類するとともに、分類した身体状態を評価結果とともに記憶部に記憶し、音源選択部は、音源データの再生開始時に検出した身体情報に基づいて分類した身体状態と一致する身体状態が記憶部に記憶された音源データの中から、再生する音源データを選択することを特徴とする。
【００１１】
請求項６の発明は、請求項１〜５の何れかの発明において、学習処理部は、音源選択部が有する複数の音源データの再生順による眠り易さ又は起床のし易さの何れか一方を評価するとともに、評価結果を記憶部に記憶し、音源選択部は、記憶部に記憶した評価結果に基づいて相対的に評価の高い再生順を選択し、選択した再生順に従って音源データを再生することを特徴とする。
【発明の効果】
【００１２】
請求項１の発明によれば、選択した音源データを再生したときの利用者の身体情報に基づいて再生した音源データによる眠り易さ又は起床のし易さを評価しているので、その評価結果から入眠又は起床に対して効果的な音源データを選択することができ、しかも複数の音源データの中から入眠又は起床に適した相対的に評価の高い音源データを自動的に再生するので、従来例のように利用毎に設定作業をしなくてもよく、したがって入眠又は起床に適した音環境を容易に且つ効果的に構築することができるという効果がある。
【００１３】
請求項２の発明によれば、再生する音源データの音像を制御することによって、利用者は音像を立体的に感じることができ、音源に包まれたような音環境を構築できることから、より入眠又は起床に適した音環境を構築することができるという効果がある。
【００１４】
請求項３の発明によれば、音源データの再生中に、突然好ましくない音源データが再生されるのを抑えることができ、結果的に入眠又は起床に適した音環境を構築することができるという効果がある。
【００１５】
請求項４の発明によれば、相対的に評価の高い音源データの音源パラメータのみを記憶部に記憶させているので、記憶部の容量が小さくてすみ、また再生する音源データを記憶部に記憶したものの中から選択することで、入眠効果又は起床効果の高い音環境を構築することができるという効果がある。
【００１６】
請求項５の発明によれば、再生した音源データを、検出した身体情報に基づいて、予め設定した複数の身体状態の何れかに分類し、この分類結果を記憶部に記憶しているので、音源データの再生開始時に検出した身体情報から分類される身体状態に適した音源データを選択することが可能であり、その結果入眠又は起床に適した音環境を構築することができるという効果がある。
【００１７】
請求項６の発明によれば、音源データの再生順による眠り易さ又は起床のし易さを評価しているので、相対的に評価の高い再生順に従って音源データを再生することで、入眠又は起床に適した音環境を構築することができ、しかも利用する音源データが異なっていても、相対的に評価の高い再生順であれば同様に入眠又は起床に適した音環境を構築できることから、複数の再生パターンを設定することが可能であり、その結果利用者は飽きることなくその音環境を楽しむことができるという効果がある。
【図面の簡単な説明】
【００１８】
【図１】本実施形態の入眠起床用音環境生成装置を示す概略構成図である。
【図２】同上に用いられる身体情報検出部の具体例である。
【発明を実施するための形態】
【００１９】
以下に、本発明に係る入眠起床用音環境生成装置の実施形態を図１及び図２に基づいて説明する。本発明に係る入眠起床用音環境生成装置は、図２に示すように、例えばベッド２上で就寝姿勢にある利用者Ｐに対して音楽や自然音による聴覚刺激を与え、利用者Ｐを快適な睡眠若しくは目覚めのよい起床へと導くために用いられるものである。
【００２０】
図１は本実施形態の入眠起床用音環境生成装置の概略構成図であり、ベッド２のヘッドボード２１に組み込まれた左右一対のスピーカ（電気音響変換装置）２２，２２と、これらのスピーカ２２，２２への音声信号を生成する音声処理装置１とを有している。
【００２１】
音声処理装置１は、例えば携帯型のオーディオプレーヤー（商品名「メモリーオーディオ」）や据置型のオーディオプレーヤーからなる音源３に保存した音源データ（例えば音楽や自然音など）を入力するための音源入力部（例えば入力用コネクタや入力用ジャックなど）１５と、複数の音源データの中から再生する音源データを選択する音源選択部１３と、利用者Ｐの所定の身体情報（例えば心拍や体動など）を検出する身体情報検出部１４と、再生した音源データによる利用者Ｐの眠り易さ（又は起床のし易さ）を評価し、その評価結果を記憶部１２ａに記憶する学習処理部１２と、音源データに対する頭部伝達関数を制御してスピーカ２２，２２から出力する音の音像を制御する音像定位処理部１１とを備えている。
【００２２】
図２は本実施形態の身体情報検出部１４の一例であり、例えばベット２上に配置した圧力マットセンサ４や、天井５に設置されたカメラ６などを用い、身体情報として利用者Ｐの心拍や体動などを検出する。
【００２３】
圧力マットセンサ４は、ベッド２上に敷設された空気圧型や圧電型のセンサであり、ベッド２上に横たわった利用者Ｐの微小な体動や振動を能動的に検出する。空気圧型の圧力マットセンサ４は、マット本体内に空気が封入されたものであり、利用者Ｐの微小な体動や振動を空気圧の変化として捉え、この空気圧の変化をチューブを介してマイクに伝達することで電気信号に変換する。また、圧電型の圧力マットセンサ４は、利用者Ｐの微小な体動や振動に応じて生じるマット本体そのものの微小な形状変化をそのまま電気信号に変換する。何れの場合も利用者Ｐの微小な体動や振動を検出するので、睡眠中（又は起床時）における利用者Ｐの呼吸、心拍、体動等を電気的な生体信号として取得することができる。そして、圧力マットセンサ４で検出した生体信号は学習処理部１２に入力され、学習処理部１２ではこの生体信号から利用者Ｐが睡眠状態か否か（又は起床状態か否か）を判別するのである。
【００２４】
一方、カメラ６は、例えばＣＣＤ（Ｃｈａｒｇｅ  Ｃｏｕｐｌｅｄ  Ｄｅｖｉｃｅ）カメラからなり、本装置の作動中において、ベッド２上に横たわった利用者Ｐの上半身又は全身を上方から常時撮像する。そして、カメラ６によって撮像された映像信号は学習処理部１２に入力され、学習処理部１２ではこの映像信号から利用者Ｐが睡眠状態か否か（又は起床状態か否か）を判別するのである。ここにおいて、利用者Ｐの就寝時には室内が暗くなることから、カメラ６としては赤外線まで感度分布を持つＣＣＤカメラに、赤外線ＬＥＤランプ照明を用いるのが好ましい。また、遠赤外線を利用したサーモグラフィーなどで利用者Ｐの体温を検出し、測定した体温から利用者Ｐが睡眠状態か否か（又は起床状態か否か）を判別するようにしてもよい。なお、図２中の破線Ａはカメラ６による撮像範囲を示している。
【００２５】
学習処理部１２は、再生中の音源データが入眠（又は起床）に適しているか否か、すなわち再生中の音源データによる眠り易さ（又は起床のし易さ）を評価しており、本実施形態では、音源データの再生中における身体情報検出部１４の検出結果（具体的には利用者Ｐの心拍や体動など）から利用者Ｐが睡眠状態か否か（又は起床状態か否か）を判別し、その判別結果から再生した音源データによる眠り易さ（又は起床のし易さ）を評価する。例えば、利用者Ｐが睡眠状態（又は起床状態）になるまでの時間を評価パラメータとした場合には、この時間が短いほど眠り易い（又は起床し易い）ことを表し、高評価となる。したがって、この時間が長い場合には眠り難い（又は起床し難い）ことになるので、このような音源データについては、音源選択部１３により選択できないようにするか、又は、評価を低く設定してなるべく再生しないようにするのが好ましい。なお、上記の評価結果は、対応する音源データの後述する音源パラメータとともに学習処理部１２の記憶部１２ａに記憶される。ここに、入眠に適した音楽の具体例としては、例えばテンポがゆっくりなヒーリング音楽などが挙げられ、起床に適した音楽の具体例としては、例えばボサノバなどのリズムがはっきりして、テンポが速めの音楽などが挙げられる。また、入眠に適した自然音の具体例としては、フクロウや鈴虫、こおろぎの声や風、木々のざわめきなどの夜に聞こえる音が挙げられ、起床に適した自然音の具体例としては、小鳥のさえずりや川のせせらぎなどの朝に聞こえる音が挙げられる。
【００２６】
音源選択部１３は、音源入力部１５を介して入力された複数の音源データの中から利用者Ｐが再生したい音源データを選択する機能と、学習処理部１２の記憶部１２ａに記憶した上記の評価結果に基づいて相対的に評価の高い音源データを選択する機能とを有している。そして、後者の機能によって選択した相対的に評価の高い音源データを再生することで、利用者Ｐにとって入眠（又は起床）に適した音環境を構築することができるのである。
【００２７】
音像定位処理部１１は、音源データに対する頭部伝達関数（耳殻、人頭及び肩まで含めた周辺物によって生じる音の変化を伝達関数として表現したもの）を制御し、スピーカ２２，２２から出力する音の音像を制御する機能を有しており、利用者Ｐはこの機能によって音像を三次元（立体）的に認識するのである。つまり、利用者Ｐには、スピーカ２２，２２が設置されている方向からだけでなく、周囲の様々な方向から音が聞こえるかのように認識され、所謂擬似サラウンドの音響空間が形成されるのである。
【００２８】
ここで、表１は、各音源データ１〜７に対応する形で記憶部１２ａに記憶させた制御データを示し、特に表１では、音源、再生時間、音量及び音源の位置からなる音源パラメータを示している。
【００２９】
【表１】
2011130099.tif 000003
【００３０】
なお、すべての音源データの音源パラメータを記憶部１２ａに記憶させてもいいし、相対的に評価の高い音源データの音源パラメータのみを記憶部１２ａに記憶させてもいいが、特に後者の場合には、すべての音源パラメータを記憶させる場合に比べて記憶部１２ａの容量が小さくてすむとともに、再生する音源データを記憶部１２ａに記憶したものの中から選択することで、入眠効果（又は起床効果）の高い音環境を構築することが可能になる。
【００３１】
さらに本実施形態では、学習処理部１２による評価が相対的に低い音源データについては、音源選択部１３が選択しないようになっており、例えば表１中の音源データ１，３，７が音源データ２，４，５，６に比べて相対的に評価が低い場合には、音源選択部１３はこれらの音源データ１，３，７を選択することなく、音源データ２，４，５，６の中から再生する音源データを選択することになる。なおこのとき、評価の高低は、例えば音源データを再生したときの利用者Ｐの心拍に基づいて行い、心拍が所定の閾値を超えた場合には入眠に適しない音源データであると判断して低評価とし、心拍が所定の閾値以下である場合には入眠に適した音源データであると判断して高評価とする。また、起床時に再生する音源データについては、心拍が所定の閾値を超えた場合には起床に適した音楽データであると判断して高評価とし、心拍が所定の閾値以下である場合には起床に適しない音源データであると判断して低評価とする。
【００３２】
このように、入眠（又は起床）に適しない音源データについては音源選択部１３の選択対象から除外することで、音源データの再生中に、突然好ましくない音源データが再生されるのを抑えることができ、結果的に入眠（又は起床）に適した音環境を構築することができる。なお、本例では、低評価の音源データを音源選択部１３が選択しないようにしているが、例えば優先度を現状よりも低く設定することで再生されにくくしてもよい。
【００３３】
次に、本実施形態の入眠起床用音環境生成装置の動作について説明する。本装置を最初に利用する際には、学習処理部１２によって評価された音源データが存在しないため、音源選択部１３に入力される音源データの中から利用者Ｐが選択した音源データを再生するか、又は、音源選択部１３に入力される音源データをランダムに再生することになる。なおこのとき、音源選択部１３は、再生している音源データの音源パラメータに含まれる音源の位置に従って、音像定位処理部１１により再生音の音像を制御し、利用者Ｐの周りに擬似サラウンドの音響空間を形成するのである。
【００３４】
上記何れかの方法によって音源データを再生しているときの身体情報（例えば利用者Ｐの心拍など）を身体情報検出部１４により検出し、検出した身体情報を学習処理部１２に入力する。学習処理部１２では、入力された身体情報から利用者Ｐが睡眠状態か否か（又は起床状態か否か）を判別し、睡眠状態（又は起床状態）にあると判断した場合には睡眠（又は起床）に至るまでの時間から音源データに対する評価を行う。例えば、睡眠（又は起床）に至るまでの時間が所定の基準値（例えば３０分）よりも短い場合には高評価とし、長い場合には低評価とする。そして、高評価の音源データについては、上述したようにその音源パラメータを記憶部１２ａに記憶する。
【００３５】
利用者Ｐが次に本装置を利用する際には、音源選択部１３は、学習処理部１２の記憶部１２ａに記憶した高評価の音源データの中から再生する音源データを選択し、選択した音源データを再生するのであるが、このとき音源パラメータに含まれる再生時間、音量及び音源の位置に従って該音源データを再生する。なお、このときにも身体情報検出部１４によって利用者Ｐの身体情報を検出しており、学習処理部１２では、この検出結果から再生した音源データに対する再評価を行う。そして、再評価の結果、相対的に評価の高い音源データの音源パラメータのみを記憶部１２ａに記憶する。以下同様にして音源データの評価を繰り返し、より評価の高い音源データを選択することで、入眠（又は起床）に対してより効果的な音環境を構築することが可能になる。なお、起床の効果を高めるために、アラーム音などの電子音や不快な物音（例えば扉の開閉音や食事の音など）、人の動きを感じる音、朝を感じさせる音（例えば鳥のさえずりなど）などの音源を予め用意し、再生パターンに付加したり、またそのものだけを呈示することも有効である。
【００３６】
而して、本実施形態によれば、選択した音源データを再生したときの利用者Ｐの身体情報（利用者Ｐの心拍や体動など）に基づいて該利用者Ｐが睡眠状態か否か（又は起床状態か否か）を判別し、その判別結果に基づいて再生した音源データによる眠り易さ（又は起床のし易さ）を評価しているので、その評価結果から入眠（又は起床）に対して効果的な音源データを選択することができ、しかも複数の音源データの中から入眠（又は起床）に適した相対的に評価の高い音源データを自動的に再生するので、従来例のように利用毎に設定作業をしなくてもよく、したがって入眠（又は起床）に適した音環境を容易に且つ効果的に構築することができる。
【００３７】
また、再生する音源データの音像を音像定位処理部１１により制御することによって、利用者Ｐは音像を立体的に感じることができ、音源に包まれたような音環境を構築できることから、より入眠（又は起床）に適した音環境を構築することができる。
【００３８】
次に、表２は学習処理部１２の記憶部１２ａに記憶させた制御データの他の例を示し、表１に示す例では音源、再生時間、音量及び音源の位置からなる音源パラメータのみであったが、表２に示す例では音源パラメータの他に、音源データの再生開始時に検出した利用者Ｐの身体情報から分類される身体状態が記憶されている。
【００３９】
【表２】
2011130099.tif 000004
【００４０】
例えば本例では、身体状態として、利用者Ｐが横になっている状態（Ａグループ）と、体を起こしている状態（Ｂグループ）に分類し、記憶部１２ａに記憶させている。ここにおいて、利用者Ｐが横になっているか、又は体を起こしているかを判別する方法として、ベッド２上に複数の圧力センサを配置し、利用者Ｐによってオンになる圧力センサの個数で判別する。例えば、オンになる圧力センサの個数が所定数以上である場合には学習処理部１２は利用者Ｐが横になっていると判断し、所定数未満である場合には利用者Ｐが体を起こしていると判断するのである。
【００４１】
そして、利用者Ｐが横になっていると判断した場合には、表２中の音源データ１，４，７（Ａグループ）の中から再生する音源データを選択し、利用者Ｐが体を起こしていると判断した場合には、表２中の音源データ２，３，５，６（Ｂグループ）の中から再生する音源データを選択するのである。
【００４２】
このように、利用者Ｐの身体状態（本例では利用者Ｐが横になっているか、又は体を起こしているかの何れかに分類）を各音源データに対応する形で記憶部１２ａに記憶させているので、音源データの再生開始時に検出した身体情報から分類される身体状態に適した音源データを選択することが可能であり、その結果入眠（又は起床）に適した音環境を構築することができる。また、再生する音源データを利用ごとに異ならせることで、利用者Ｐは飽きることなくその音環境を楽しむことができる。
【００４３】
なお、上記説明では、利用者Ｐが横になっているか、又は体を起こしているかの何れかに分類しているが、例えば身体情報検出部１４によって検出した利用者Ｐの心拍から、利用者Ｐが高揚状態にあるか、又は鎮静状態にあるかの何れかに分類してもよく、同様に身体状態に応じた音源データを選択することで、入眠（又は起床）に適した音環境を構築することができる。また、本例では、各身体状態において複数の音源データの中から再生する音源データを選択できるようになっているが、各身体状態に対応する音源データは複数である必要はなく、１つであってもよい。
【００４４】
次に、表３は学習処理部１２の記憶部１２ａに記憶させた制御データのさらに他の例を示しており、本例では音源データの再生順についても学習処理部１２が評価し、その評価結果を記憶部１２ａに記憶させている。
【００４５】
【表３】
2011130099.tif 000005
【００４６】
その結果、表３に示すように再生パターン１，２を設定することができ、且つ、これらの再生パターン１，２はともに再生順が相対的に評価の高いものであるから、音源選択部１３により何れかの再生パターン１又は２を選択することによって、入眠効果（又は起床効果）の高い音環境を構築することができる。
【００４７】
このように、音源データの再生順による眠り易さ（又は起床のし易さ）を評価しているので、相対的に評価の高い再生順に従って音源データを再生することで、入眠（又は起床）に適した音環境を構築することができ、しかも再生パターン１，２のように利用する音源データが異なっていても、相対的に評価の高い再生順であれば同様に入眠（又は起床）に適した音環境を構築できることから、例えば再生パターン１又は２を利用回に応じて再生することによって、利用者Ｐは飽きることなくその音環境を楽しむことができる。
【００４８】
次に、表４は学習処理部１２の記憶部１２ａに記憶させた制御データのさらに他の例を示しており、本例では表３に示す内容に加えて音源データを再生したときの利用者Ｐの心拍も記憶部１２ａに記憶させている。
【００４９】
【表４】
2011130099.tif 000006
【００５０】
例えば、表４に示すように再生パターン１に含まれる音源データ７と、再生パターン３に含まれる音源データ９は、利用者Ｐの心拍が同じ６０であることから、両音源データ７，９を相互に入れ替えても同じ効果が期待できると考えられる。そこで、本実施形態では、音源選択部１３において、例えば心拍が同じで再生パターンの異なる音源データ同士を入れ替えて新たな再生パターンを構築し、構築した新たな再生パターンに従って音源データを再生できるようになっている。すなわち、再生パターン１の音源データ７と再生パターン３の音源データ９を相互に入れ替えた再生パターン４（音源データ１，４，９）や再生パターン５（音源データ６，８，７）を構築し、それぞれの再生パターン４，５を再生しても、同様に入眠（又は起床）に適した音環境を構築することができる。
【００５１】
このように、同じような身体情報（本例では心拍）を持つ音源データ同士を相互に入れ替えることで、再生パターンのアレンジを容易に行うことができ、さらに再生パターンが増えることで利用者Ｐは飽きることなくその音環境を楽しむことができる。
【００５２】
なお、本実施形態では、入眠起床用音環境生成装置をベッド２に設置した場合を例に説明したが、設置箇所はベッドに限定されるものではなく、例えばマッサージチェアなどに本入眠起床用音環境生成装置を設けてもよい。また、本実施形態では、音像定位処理部１１によりスピーカ２２，２２から出力される音の音像を制御しているが、学習処理部１２による評価機能を備えていればよく、必ずしも音像を制御しなくてもよい。さらに、本実施形態では、２チャンネルのスピーカ２２，２２を用いて擬似的に立体的な音像を形成しているが、例えば４チャンネルや８チャンネルなどの多チャンネルのスピーカを用いて直截的に立体的な音像を形成してもよい。また、本実施形態では、電気音響変換装置がスピーカ２２，２２の場合について説明したが、例えばイヤホンやヘッドホンなどであってもよく、スピーカに限定されない。
【符号の説明】
【００５３】
１  音声処理装置
１２  学習処理部
１３  音源選択部
１４  身体情報検出部
２２  スピーカ（電気音響変換装置）
Ｐ  利用者
【図１】
2011130099.tif 000007
【図２】
2011130099.tif 000008